【手続補正書】
【提出日】平成17年10月26日(2005.10.26)
【手続補正１】
【補正対象書類名】明細書
【補正対象項目名】特許請求の範囲
【補正方法】変更
【補正の内容】
【特許請求の範囲】
【請求項１】
第１のユーザーが用いる第１の端末装置と、第２のユーザーが用いる第２の端末装置と、第１および第２の端末装置と通信可能な仮想体験支援装置であって仮想環境データベースにアクセス可能な仮想体験支援装置と、を備えた仮想体験システムであって、
仮想体験支援装置は、第１のユーザーからの要求にしたがって、仮想環境データベースに登録されているデータに基づいて、第２のユーザーと関連づけられた仮想環境を表示するための仮想環境表示データを生成して第１の端末装置に送信し、
第１の端末装置は、仮想体験支援装置から受信した仮想環境表示データに基づいて第１の端末装置に仮想環境を表示し、
仮想体験支援装置は、第１の端末装置に表示された仮想環境下で第１のユーザーが無意識に示す反応を採取し、採取した反応に対応して複数の仮想環境の中から次に表示させるべき仮想環境を選択するとともに、採取した反応を評価して反応評価結果データを生成し、生成した反応評価結果データを第２の端末装置に送信し、
第２の端末装置は、仮想体験支援装置から受信した反応評価結果データに基づいて第２の端末装置に前記第１のユーザーの反応についての評価結果を表示すること、
を特徴とする仮想体験システム。
【請求項２】
第１のユーザーに仮想体験を行わせるための仮想体験支援装置であって、
仮想環境データベースにアクセス可能であり、
第１のユーザーからの要求にしたがって、仮想環境データベースに登録されているデータに基づいて、第２のユーザーと関連づけられた仮想環境を表示するための仮想環境表示データを生成して第１のユーザー宛に送信し、
送信された仮想環境表示データに基づいて表示された仮想環境下で第１のユーザーが無意識に示す反応を採取し、採取した反応に対応して複数の仮想環境の中から次に表示させるべき仮想環境を選択するとともに、採取した反応を評価して反応評価結果データを生成し、生成した反応評価結果データを第２のユーザー宛に送信すること、
を特徴とする仮想体験支援装置。
【請求項３】
仮想環境データベースにアクセス可能なコンピュータを、第１のユーザーに仮想体験を行わせるための仮想体験支援装置として機能させるための仮想体験プログラムであって、
第１のユーザーからの要求にしたがって、仮想環境データベースに登録されているデータに基づいて、第２のユーザーと関連づけられた仮想環境を表示するための仮想環境表示データを生成して第１のユーザー宛に送信し、
送信された仮想環境表示データに基づいて表示された仮想環境下で第１のユーザーが無意識に示す反応を採取し、採取した反応に対応して複数の仮想環境の中から次に表示させるべき仮想環境を選択するとともに、採取した反応を評価して反応評価結果データを生成し、生成した反応評価結果データを第２のユーザー宛に送信する処理をコンピュータに実行させるための仮想体験プログラム。
【請求項４】
請求項３の仮想体験プログラムを記録したコンピュータ読み取り可能な記録媒体。
【請求項５】
請求項１ないし４のいずれかのシステム、装置、プログラムまたは記録媒体において、
仮想環境の表示は第１のユーザーに対する質問の表示を含み、
仮想体験支援装置は、表示された質問に対する第１のユーザーの反応に対応して、複数の仮想環境の中から次に表示させるべき仮想環境を決定すること、
を特徴とするもの。
【請求項６】
請求項１ないし５のいずれかのシステム、装置、プログラムまたは記録媒体において、
仮想環境表示データは、第２のユーザーを紹介するためのデータおよび第２のユーザーと第１のユーザーとの適合性を評価するためのデータを含むこと、
を特徴とするもの。
【請求項７】
請求項６のシステム、装置、プログラムまたは記録媒体において、
第２のユーザーは団体であり、第１のユーザーは個人であること、
を特徴とするもの。
【請求項８】
請求項１ないし７のいずれかのシステム、装置、プログラムまたは記録媒体において、
仮想環境データベースは、表示された仮想環境に対する反応と当該反応の評価ポイントとを対応づけて記憶させた反応評価基準データを含み、
仮想体験支援装置は、表示された仮想環境に対する第１のユーザーの反応を、反応評価基準データに基づいて、評価ポイントを用いて評価すること、
を特徴とするもの。
【請求項９】
請求項１ないし８のいずれかのシステム、装置、プログラムまたは記録媒体において、
仮想体験支援装置は、第１のユーザー宛にアンケートを送信するとともに、送信されたアンケートに対する第１のユーザーからの回答結果を前記反応評価結果データと併せて第２のユーザー宛に送信すること、
を特徴とするもの。
【請求項１０】
請求項１ないし９のいずれかのシステム、装置、プログラムまたは記録媒体において、
仮想体験支援装置は、生成した反応評価結果データを第１のユーザー宛にも送信すること、
を特徴とするもの。
【請求項１１】
コンピュータを用いて第１のユーザーに仮想体験を行わせるための仮想体験支援方法であって、
第１のユーザーからの要求にしたがって、第２のユーザーと関連づけられた仮想環境を表示するための仮想環境表示データを生成して第１のユーザー宛に送信するステップと、
送信された仮想環境表示データに基づいて表示された仮想環境下で第１のユーザーが無意識に示す反応を採取するステップと、
採取した反応に対応して複数の仮想環境の中から次に表示させるべき仮想環境を選択するとともに、採取した反応を評価して反応評価結果データを生成し、生成した反応評価結果データを第２のユーザー宛に送信するステップとを備えたこと、
を特徴とする仮想体験支援方法。
【手続補正２】
【補正対象書類名】明細書
【補正対象項目名】０００６
【補正方法】変更
【補正の内容】
【０００６】
【発明の作用および効果】
請求項１の仮想体験システムは、第１のユーザーが用いる第１の端末装置と、第２のユーザーが用いる第２の端末装置と、第１および第２の端末装置と通信可能な仮想体験支援装置であって仮想環境データベースにアクセス可能な仮想体験支援装置と、を備えた仮想体験システムであって、仮想体験支援装置は、第１のユーザーからの要求にしたがって、仮想環境データベースに登録されているデータに基づいて、第２のユーザーと関連づけられた仮想環境を表示するための仮想環境表示データを生成して第１の端末装置に送信し、第１の端末装置は、仮想体験支援装置から受信した仮想環境表示データに基づいて第１の端末装置に仮想環境を表示し、仮想体験支援装置は、第１の端末装置に表示された仮想環境下で第１のユーザーが無意識に示す反応を採取し、採取した反応に対応して複数の仮想環境の中から次に表示させるべき仮想環境を選択するとともに、採取した反応を評価して反応評価結果データを生成し、生成した反応評価結果データを第２の端末装置に送信し、第２の端末装置は、仮想体験支援装置から受信した反応評価結果データに基づいて第２の端末装置に前記第１のユーザーの反応についての評価結果を表示することを特徴とする。
【手続補正３】
【補正対象書類名】明細書
【補正対象項目名】０００７
【補正方法】変更
【補正の内容】
【０００７】
請求項２の仮想体験支援装置は、第１のユーザーに仮想体験を行わせるための仮想体験支援装置であって、仮想環境データベースにアクセス可能であり、第１のユーザーからの要求にしたがって、仮想環境データベースに登録されているデータに基づいて、第２のユーザーと関連づけられた仮想環境を表示するための仮想環境表示データを生成して第１のユーザー宛に送信し、送信された仮想環境表示データに基づいて表示された仮想環境下で第１のユーザーが無意識に示す反応を採取し、採取した反応に対応して複数の仮想環境の中から次に表示させるべき仮想環境を選択するとともに、採取した反応を評価して反応評価結果データを生成し、生成した反応評価結果データを第２のユーザー宛に送信することを特徴とする。
【手続補正４】
【補正対象書類名】明細書
【補正対象項目名】０００８
【補正方法】変更
【補正の内容】
【０００８】
請求項３の仮想体験プログラムおよび請求項４の記録媒体に記録されたプログラムは、仮想環境データベースにアクセス可能なコンピュータを、第１のユーザーに仮想体験を行わせるための仮想体験支援装置として機能させるための仮想体験プログラムであって、第１のユーザーからの要求にしたがって、仮想環境データベースに登録されているデータに基づいて、第２のユーザーと関連づけられた仮想環境を表示するための仮想環境表示データを生成して第１のユーザー宛に送信し、送信された仮想環境表示データに基づいて表示された仮想環境下で第１のユーザーが無意識に示す反応を採取し、採取した反応に対応して複数の仮想環境の中から次に表示させるべき仮想環境を選択するとともに、採取した反応を評価して反応評価結果データを生成し、生成した反応評価結果データを第２のユーザー宛に送信する処理をコンピュータに実行させるためのものである。
【手続補正５】
【補正対象書類名】明細書
【補正対象項目名】０００９
【補正方法】変更
【補正の内容】
【０００９】
請求項１１の仮想体験支援方法は、コンピュータを用いて第１のユーザーに仮想体験を行わせるための仮想体験支援方法であって、第１のユーザーからの要求にしたがって、第２のユーザーと関連づけられた仮想環境を表示するための仮想環境表示データを生成して第１のユーザー宛に送信するステップと、送信された仮想環境表示データに基づいて表示された仮想環境下で第１のユーザーが無意識に示す反応を採取するステップと、採取した反応に対応して複数の仮想環境の中から次に表示させるべき仮想環境を選択するとともに、採取した反応を評価して反応評価結果データを生成し、生成した反応評価結果データを第２のユーザー宛に送信するステップとを備えたことを特徴とする。
【手続補正６】
【補正対象書類名】明細書
【補正対象項目名】００１０
【補正方法】変更
【補正の内容】
【００１０】
つまり、これらのシステム、装置、プログラム、記録媒体および方法は、第１のユーザーに仮想体験を行わせるためのものであって、第１のユーザーからの要求にしたがって、第２のユーザーと関連づけられた仮想環境を表示するための仮想環境表示データを生成して第１のユーザー宛に送信し、送信された仮想環境表示データに基づいて表示された仮想環境下で第１のユーザーが無意識に示す反応を採取し、採取した反応に対応して複数の仮想環境の中から次に表示させるべき仮想環境を選択するとともに、採取した反応を評価して反応評価結果データを生成し、生成した反応評価結果データを第２のユーザー宛に送信することを特徴としている。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
また、第１のユーザーは、自己の反応に基づいて自己に適した仮想体験を次々とすることが可能となる。このため、第２のユーザーに関連した環境について真に興味のある情報や雰囲気を知ることが可能となる。一方、第２のユーザーは、次々と選択される仮想環境に基づいて、第１のユーザーの興味や性格をさらに客観的に把握することが可能となる。
【手続補正９】
【補正対象書類名】明細書
【補正対象項目名】００１４
【補正方法】変更
【補正の内容】
【００１４】
請求項５のシステム、装置、プログラムおよび記録媒体においては、仮想環境の表示は第１のユーザーに対する質問の表示を含み、仮想体験支援装置は、表示された質問に対する第１のユーザーの反応に対応して、複数の仮想環境の中から次に表示させるべき仮想環境を決定することを特徴とする。
【手続補正１０】
【補正対象書類名】明細書
【補正対象項目名】００１６
【補正方法】変更
【補正の内容】
【００１６】
請求項６のシステム、装置、プログラムおよび記録媒体においては、仮想環境表示データは、第２のユーザーを紹介するためのデータおよび第２のユーザーと第１のユーザーとの適合性を評価するためのデータを含むことを特徴とする。
【手続補正１１】
【補正対象書類名】明細書
【補正対象項目名】００１８
【補正方法】変更
【補正の内容】
【００１８】
請求項７のシステム、装置、プログラムおよび記録媒体においては、第２のユーザーは団体であり、第１のユーザーは個人であることを特徴とする。したがって、たとえば求人企業など団体に対する求職者など個人の適合性を、客観的に知ることが容易となる。
【手続補正１２】
【補正対象書類名】明細書
【補正対象項目名】００１９
【補正方法】変更
【補正の内容】
【００１９】
請求項８のシステム、装置、プログラムおよび記録媒体においては、仮想環境データベースは、表示された仮想環境に対する反応と当該反応の評価ポイントとを対応づけて記憶させた反応評価基準データを含み、仮想体験支援装置は、表示された仮想環境に対する第１のユーザーの反応を、反応評価基準データに基づいて、評価ポイントを用いて評価することを特徴とする。
【手続補正１３】
【補正対象書類名】明細書
【補正対象項目名】００２１
【補正方法】変更
【補正の内容】
【００２１】
請求項９のシステム、装置、プログラムおよび記録媒体においては、仮想体験支援装置は、第１のユーザー宛にアンケートを送信するとともに、送信されたアンケートに対する第１のユーザーからの回答結果を前記反応評価結果データと併せて第２のユーザー宛に送信することを特徴とする。
【手続補正１４】
【補正対象書類名】明細書
【補正対象項目名】００２３
【補正方法】変更
【補正の内容】
【００２３】
請求項１０のいずれかのシステム、装置、プログラムおよび記録媒体においては、仮想体験支援装置は、生成した反応評価結果データを第１のユーザー宛にも送信することを特徴とする。